(57)【要約】【課題】構造、構成が複雑になるパイロット信号の高周波発振器を用いることなく歪を正確に補償できる歪補償回路を提供する。【解決手段】本発明にかかる歪補償回路の基本的構成の大部分は、従来のフィードフォワード型歪補償回路のものと同様である。すなわち、第一の分配器(1)、第一のベクトル調整器(2)、主増幅器(3)、第一の遅延線(4)、第二の分配器(5)、第一の合成器(6)、第二の遅延線(7)、第二のベクトル調整器(8)、誤差増幅器(9)、第二の合成器(10)、制御部(11)とを備える。しかしながら、従来のフィードフォワード型歪補償回路に対し、パイロット信号発生器及びパイロット信号検出器を備えない点で異なり、これらパイロット信号発生器及びパイロット信号検出器の代わりに、該主増幅器の温度変化を検出する温度検出器(14)を備える。そして、該温度検出器で検出した該主増幅器の温度に基づいて該第一及び第二のベクトル調整器を調整する。【選択図】  図１
2007318298.tif 000002
【特許請求の範囲】
【請求項１】
高周波入力信号を、初期主信号と初期迂回路信号に分配する第一の分配器(1)と、
該初期主信号の位相制御と利得調整を行う第一のベクトル調整器(2)と、
該初期主信号を増幅する主増幅器(3)と、
該初期迂回路信号の位相を、該主増幅器(3)で増幅された該初期主信号の位相に合わせる第一の遅延線(4)と、
該主増幅器で発生する歪成分を含む該初期主信号を、中間主信号と、歪検出用信号に分配する第二の分配器(5)と、
該歪検出用信号と該初期迂回路信号とを合成して中間迂回路信号を出力する第一の合成器(6)と、
該中間主信号と該中間迂回路信号との位相を合わせるための第二の遅延線(7)と、
該中間迂回路信号の位相制御と利得調整を行う第二のベクトル調整器(8)と、
迂回路の誤差増幅器(9)と、
該中間迂回路信号と該中間主信号とを合成して該歪成分が除去された最終主信号を出力する第二の合成器(10)と、
位相制御及び利得調整を行う制御部(11)と、
該主増幅器(3)の温度変化を検出する温度検出器(14)と、
で構成され、
該温度検出器(14)で検出した該主増幅器(3)の温度に基づいて該第一及び第二のベクトル調整器(2,8)を調整することを特徴とする歪補償回路。
【請求項２】
該制御部(11)は、該主増幅器(3)の温度補正データを内包しており、該温度補正データを参照し、該第一及び第二のベクトル調整器(2,8)を調整する請求項１に記載の歪補償回路。
【請求項３】
該制御部(11)は、該主増幅器(3)の経時補正データを内包しており、該経時特性データに基づいて該第一及び第二のベクトル調整器(2,8)を調整する請求項１又は２に記載の歪補償回路。
【発明の詳細な説明】
【技術分野】
【０００１】
本発明は、フィードフォワード型の歪補償回路に関するものである。
【背景技術】
【０００２】
歪補償回路として、フィードフォワード型のものが広く採用されている。フィードフォワード型歪補償回路は、入力信号を増幅させる際に発生する歪成分を、入力信号から分配した迂回路信号を用いて取り除くためのもので、その基本構成は図２に示す通りである。
【０００３】
図２に示すフィードフォワード型歪補償回路では、まず、入力端２０から高周波信号が入力され、第一の分配器１で初期主信号と初期迂回路信号に分配される。（以下、第一の分配器から出力された段階の信号は「初期」と称することとする。）初期主信号は、第一のベクトル調整器２を通過し主増幅器３により増幅される。そして、主増幅器３で増幅された初期主信号は、主増幅器３で発生する歪成分を含んだまま第二の分配器５に加えられ、その一部が歪検出用信号として第一の合成器６に加えられる。一方、初期迂回路信号は、第一の遅延線４において主増幅器３の遅延時間分の補正がなされた後、第一の合成器６に加えられ、前記歪検出用信号と合成されて中間迂回路信号として出力される。（以下、第一の合成器から出力された迂回路信号には「中間」を冠することとする。）この第一の合成器６では、迂回路信号に、その逆相の歪成分を含んだ歪検出用信号が合成され、これにより歪信号のみが抽出されることになる。
【０００４】
中間迂回路信号は、第二のベクトル調整器８を通過し誤差増幅器９で増幅され第二の合成器１０に加えられる。一方、第二の分配器５を通過した、歪成分を含む中間主信号は、第二の遅延線７において誤差増幅器９の遅延時間分の補正がなされ第二の合成器１０に加えられる。（以下、第二の合成器から分配された主信号には「中間」を冠することとする。）この第二の合成器１０では、相互に逆相となっている中間迂回路信号の歪成分と中間主信号の歪成分が合成され、互いに打ち消され、主信号から歪成分が除去されることになる。
【０００５】
ただし、主増幅器３の特性が温度や時間の経過の影響で変化すると、歪補償回路の歪を打ち消す特性が劣化してしまうという問題があった。そこで、この問題を解消するために、パイロット信号を用いる方法が採用されている。
【０００６】
パイロット信号は、第一のベクトル調整器２（歪検出回路）の調整を主目的とする第一パイロット信号と、第二のベクトル調整器８（歪除去回路）の調整を主目的とする第二パイロット信号の２種類が用いられる。第一パイロット信号は、入力端の第一パイロット信号発生器２４より入力信号に注入され、合成器６の出力端に設けられた第一パイロット信号検出器２５により検出される。そして、この第一パイロット信号が最小となるように、第一のベクトル調整器２で位相と利得が調整される。一方、第二パイロット信号は、第二パイロット信号発生器２２から主増幅器３の中段に注入され、出力端に設けられた第二パイロット信号検出器２３により検出される。そして、この第二パイロット信号が最小となるように、第二のベクトル調整器８で位相と利得が調整される。このように、第一及び第二パイロット信号が最小となるように、第一及び第二のベクトル調整器２、８で位相と利得を調整すれば、主増幅器３の特性の変化に関わらず、歪補償回路の歪を打ち消す特性を維持することができる。この際、第一パイロット信号検出器２５及び第二パイロット信号検出器２３の出力を取り込み、第一及び第二のベクトル調整器２、８を操作する制御部２１を利用することにより、効率的な調整を行うことができる。なお、このパイロット信号を利用したフィードフォワード型歪補償回路を開示した文献として、例えば、特開平４−８３４０６号がある。
【特許文献１】特開平４−８３４０６号公報
【発明の開示】
【発明が解決しようとする課題】
【０００７】
しかしながら、上記フィードフォワード型歪補償回路では、パイロット信号を発生させるための高周波発振器を必要とするところ、その高周波発振器の構造、構成は複雑であり、歪補償回路そのものの取扱いも複雑になるという問題があった。
【０００８】
そこで、本発明の目的は、構造、構成が複雑になるパイロット信号の高周波発振器を用いることなく歪を正確に補償できる歪補償回路を提供することにある。
【課題を解決するための手段】
【０００９】
本発明にかかる歪補償回路の基本的構成の大部分は、上記従来のフィードフォワード型歪補償回路のものと同様である。すなわち、第一の分配器、第一のベクトル調整器、主増幅器、第一の遅延線、第二の分配器、第一の合成器、第二の遅延線、第二のベクトル調整器、誤差増幅器、第二の合成器、制御部とを備える。しかしながら、上記従来のフィードフォワード型歪補償回路に対し、パイロット信号発生器及びパイロット信号検出器を備えない点で異なり、これらパイロット信号発生器及びパイロット信号検出器の代わりに、該主増幅器の温度変化を検出する温度検出器を備える。そして、該温度検出器で検出した該主増幅器の温度に基づいて該第一及び第二のベクトル調整器を調整することを特徴とする。
【００１０】
該制御部は、該主増幅器の温度補正データを内包しており、該温度補正データを参照し、該第一及び第二のベクトル調整器を調整するものであってもよい。
【００１１】
該制御部は、該主増幅器の経時補正データを内包しており、該経時補正データに基づいて該第一及び第二のベクトル調整器を調整するものであってもよい。
【発明の効果】
【００１２】
本発明の歪補償回路によれば、主増幅器の温度変化を検出する温度検出器を備え、この温度検出器で検出した主増幅器の温度変化に基づいて第一及び第二のベクトル調整器を調整するため、歪補償回路の歪を打ち消す特性の劣化を補正するためのパイロット信号は不要となる。そのため、構造、構成が複雑になるパイロット信号の高周波発振器を用いることなく歪を正確に補償できる。また、変動に伴う歪の除去に要する時間が、パイロット信号を用いた場合よりも早くなり、安定した特性を維持できる。
【００１３】
制御部に主増幅器の温度補正データを内包させ、この温度補正データを参照して第一及び第二のベクトル調整器を調整させることとすれば、従来の制御部を転用し、温度変化に基づいた調整を容易に実行ができる。
【００１４】
制御部に主増幅器の経時補正データを内包させ、この経時補正データに基づいて第一及び第二のベクトル調整器を調整させることとすれば、主増幅器の特性が時間の経過の影響で変化する場合にも、同様に、パイロット信号を用いることなく、歪補償回路の歪を打ち消す特性の経時劣化を補正することができる。
【発明を実施するための最良の形態】
【００１５】
以下、図１に本発明の具体例を示す。図１は歪補償回路の回路図である。なお、上述の従来技術をそのまま採用した部分には、従来技術の説明に使用したものと同じ符号を付し、その説明を省略する。
【００１６】
この歪補償回路は、主増幅器３に設けられた温度検出器１２を備える。この温度検出器１２で検出された主増幅器３の温度変化は、制御部１１に出力される。
【００１７】
制御部１１には、主増幅器３の補正データが予めプログラムされている。そして、制御部１１は、この補正データに基づき生成された制御信号を第一及び第二のベクトル調整器２、８に送信してその調整を行い、歪成分が最小となるような制御を行う。
【００１８】
制御部１１にプログラムされている補正データの一例を表１に示す。
【表１】
2007318298.tif 000003
この補正データは、主増幅器３の温度変動による歪信号の大きさを、周囲温度を加味して取得し、その歪信号を打ち消すために必要となる位相及び利得を得るためのベクトル調整器最適値をまとめたものである。この補正データは、主増幅器３の温度が分かれば、その温度に対応するベクトル調整器最適値が判明するため、その最適値により第一及び第二のベクトル調整器２、８を調整すればよい。そのため、構造、構成が複雑になるパイロット信号の高周波発振器を用いることなく歪を正確に補償できる。また、変動に伴う歪の除去に要する時間が、パイロット信号を用いた場合よりも早くなり、安定した特性を維持できる。なお、温度検出器の温度が、表内の値に無い場合は（例えば５℃の場合)、前後2つの基準温度最適値を線形補完演算により求めることができるが、基準温度をより細分化して（例えば１℃刻みとして）テ-ブル化しておくのもよい。
【００１９】
主増幅器３の特性が時間の経過の影響で変化するものであれば、上記温度と同様の補正データ（経時補正データ）を制御部１１に予めプログラムしておけばよい。そして、この経時補正データに基づいて第一及び第二のベクトル調整器を調整させることとすれば、パイロット信号を用いることなく、歪補償回路の歪を打ち消す特性の経時劣化を補正することができる。
【図面の簡単な説明】
【００２０】
【図１】本発明の歪補償回路の具体例を示す回路図である。
【図２】従来技術例を示す回路図である。
【符号の説明】
【００２１】
１    第一の分配器
２    第一のベクトル調整器
３    主増幅器
４    第一の遅延線
５    第二の分配器
６    第一の合成器
７    第二の遅延線
８    第二のベクトル調整器
９    誤差増幅器
１０  第二の合成器
１１  制御部
１４  温度検出器
【図１】
2007318298.tif 000004
【図２】
2007318298.tif 000005